(57)【特許請求の範囲】
【請求項１】
複数の処理槽が設けられた処理装置に設置される越流堰であって、この越流堰は浮力調節可能なフロートを有し、堰本体は底板とこの底板に設けられた側壁とから成る枠状体で構成され、側壁の上端縁から切り欠いた凹部で形成された流入口が設けられると共に、堰本体の下部に流出口を設け、前記流出口と処理装置本体に設けた放流口とを連結するパイプが設けられており、
フロートの浮力を調整することにより、流入口の一部が水面下に常に位置するようになっていることを特徴とする越流堰。
【請求項２】
フロートは重錘体の出し入れ口を有する中空容器であることを特徴とする請求項１に記載の越流堰。
【請求項３】
パイプは可撓性パイプであることを特徴とする請求項１または２に記載の越流堰。
【請求項４】
可撓性パイプは異なる口径の可撓性パイプと取り換え可能となっていることを特徴とする請求項３記載の越流堰。
【請求項５】
堰本体がいずれかの処理槽に所定の距離を昇降可能に取り付けられていることを特徴とする請求項１から４のいずれかに記載の越流堰。
【請求項６】
パイプは一端が処理装置本体の放流口に連結し、他端が下方から垂直に上向きに配設された固定パイプと、この固定パイプの他端にスライド可能に下端が挿通され、上端が堰本体の流出口に連結するスライドパイプから成ることを特徴とする請求項１または２に記載の越流堰。
【請求項７】
スライドパイプは異なる口径のスライドパイプと取り換え可能となっていることを特徴とする請求項６記載の越流堰。
【請求項８】
移流方向に複数の処理槽を設け、最後の処理槽に設けた放流口に請求項１から７のいずれかに記載の越流堰を連結したことを特徴とする処理装置。
【請求項９】
最後の処理槽が沈殿槽であることを特徴とする請求項８記載の処理装置。
【発明の詳細な説明】
【０００１】
【発明の属する技術分野】
本発明は、ディスポーザ等で粉砕された生ゴミ等の厨芥含有排水等を含む汚水を浄化する処理装置に設置され、装置内に一度に多量の汚水が流入しても、装置外に放流される処理水の量が一定になるように保つことができる越流堰に関するものである。
【０００２】
【従来の技術】
移流方向に複数の処理槽が設けられ、最後部に沈殿槽を設けた排水処理装置では、流入口から流入した汚水を順次各処理槽を通過させて浄化し、最後部の沈殿槽の放流口から浄化処理済みの上澄水が槽外に放流されるように構成されている。
【０００３】
したがって、一度に多量の汚水が流入すると、処理水も多量に一度に放流されるため、沈殿槽で十分に時間をかけて処理できずに浮遊物質も流出し、処理水の水質が悪化する原因となっている。
そこで、別途に水位を調整するための調整槽を設けた排水処理装置もあるが、調整槽では臭気の発生や油脂分の蓄積が著しく、頻繁に清掃の必要があると共に装置も大型化する問題があった。
【０００４】
これ等の問題点を解決するため、従来特開平７ー２９９４７８号の浄化槽が提案されている。
この浄化槽は、嫌気ろ床槽に流量調整装置を備えたものであって、筒状のフロートの水面下に位置する部分の上下に、流出口と流入口を所定間隔をあけて設け、水面下に位置する部分の処理水を接触曝気槽へ移流するもので、最終の処理工程である沈殿槽の最上部の上澄水を放流するものではない。
【０００５】
【発明が解決しようとする課題】
上記点より本発明は、ディスポーザ等で粉砕された生ゴミ等の厨芥含有排水等を含む汚水を浄化する処理装置の処理槽に設置され、装置内に一度に多量の汚水が流入しても、処理槽から槽外に放流される処理水の量が一定になるように保つことができると共に、放流される処理水は装置の最終処理工程である処理槽又は沈殿槽の最上部の上澄水のみで、浮遊物質の流出がないので水質の悪化の恐れがなく、環境の保全を図ることができる越流堰およびそれを使った処理装置を提供しようとするものである。
【０００６】
【課題を解決するための手段】
上記課題を解決するため請求項１記載の本発明越流堰は、複数の処理槽が設けられた処理装置に設置される越流堰であって、この越流堰は浮力調節可能なフロートを有し、堰本体は底板とこの底板に設けられた側壁とから成る枠状体で構成され、側壁の上端縁から切り欠いた凹部で形成された流入口が設けられると共に、堰本体の下部に流出口を設け、前記流出口と処理装置本体に設けた放流口とを連結するパイプが設けられており、フロートの浮力を調整することにより、流入口の一部が水面下に常に位置するようになっていることを特徴とするものである。
【０００７】
このような構成とすることにより、沈殿槽でフロートにより浮いている堰本体の浮き具合をフロートを調節して堰本体の側壁の上端縁から切り欠いた凹部で形成された流入口から水面の最上部の上澄水を集水できるように浮力調節し、上澄水を堰本体の流入口から流出口、パイプを経て処理装置本体の放流口から外部へ放流する。
【０００８】
そして、装置内に一度に多量の処理水が流入し、処理槽の水位が上昇すると、フロートにより堰本体も上昇し、堰本体の流入口と水面の距離は常に一定なので、流入口から流入する処理水の量は変わらず、堰本体の流出口からパイプを経て処理槽の放流口から放流される処理水の量を一定に保つことができると共に、最上部の上澄水のみが放流される。この時、総ての処理槽の水位が上昇し、調整槽としての作用をする。
【０００９】
次に、請求項２記載の本発明越流堰は、請求項１に記載の越流堰において、フロートは重錘体の出し入れ口を有する中空容器であることを特徴とするものである。
【００１０】
このような構成とすることにより、中空容器内の重錘体を加減することで浮力調節し、堰本体の浮き具合を調節する。
【００１１】
次に、請求項３記載の本発明越流堰は、請求項１または２に記載の越流堰において、パイプは可撓性パイプであることを特徴とするものである。
【００１２】
このような構成とすることにより、パイプは自在に屈曲するので越流堰は自由に昇降できる。
【００１３】
次に、請求項４記載の本発明越流堰は、請求項３記載の越流堰において、可撓性パイプは異なる口径の可撓性パイプと取り換え可能となっていることを特徴とするものである。
【００１４】
このような構成とすることにより、処理槽から放流される排水量を調整できる。
【００１５】
次に、請求項５記載の本発明越流堰は、請求項１から４のいずれかに記載の越流堰において、堰本体がいずれかの処理槽に所定の距離を昇降可能に取り付けられていることを特徴とするものである。
【００１６】
このような構成とすることにより、堰本体は処理槽内での上昇及び下降が規制される。
【００１７】
次に、請求項６記載の本発明越流堰は、請求項１または２に記載の越流堰において、パイプは一端が処理装置本体の放流口に連結し、他端が下方から垂直に上向きに配設された固定パイプと、この固定パイプの他端にスライド可能に下端が挿通され、上端が堰本体の流出口に連結するスライドパイプから成ることを特徴とするものである。
【００１８】
このような構成とすることにより、越流堰はスライドパイプと共に水平を維持しつつ昇降する。
【００１９】
次に、請求項７記載の本発明越流堰は、請求項６記載の越流堰において、スライドパイプは異なる口径のスライドパイプと取り換え可能となっていることを特徴とするものである。
【００２０】
このような構成とすることにより、処理装置本体から放流される排水量を調整できる。
【００２１】
次に、請求項８記載の本発明処理装置は、移流方向に複数の処理槽を設け、最後の処理槽に設けた放流口に請求項１から７のいずれかに記載の越流堰を連結したことを特徴とするものである。
【００２２】
本発明は、請求項１から７の越流堰を備えている処理装置にも関する。そして最終処理工程の浄化された処理水が装置外へ放流されるので、水質の悪化を防止できる。
【００２３】
次に、請求項９記載の本発明処理装置は、請求項８記載の処理装置において、最後の処理槽が沈殿槽であることを特徴とするものである。
【００２４】
このような構成とすることで、沈殿槽の最上部の上澄水が放流されるので、浮遊物質の流出がなく、水質の悪化を防止できる。
【００２５】
【発明の実施の形態】
以下、本発明の一実施の形態を図面に基づき説明する。
図１は本発明越流堰を排水処理装置に使用した状態を示す断面図、図２は同上の部分拡大断面図、図３は同上の越流堰の斜視図である。
【００２６】
図１及び図３において、図中１は処理装置本体Ａの移流方向の上流側で最前部に設けた無機分離槽であり、この無機分離槽１から下流側に好気可溶化槽２、好気ろ床槽３、沈殿槽４の順に配設されている。
【００２７】
そして、無機分離槽１に汚水供給管５が連結する流入口６が設けられ、無機分離槽１内で比重の大きな貝殻、卵の殻等を分離し貯留すると共に、好気可溶化槽２との仕切り壁７に流入口６より低い位置に移流口８が設けられ、この移流口８から無機分離槽１の処理水は好気可溶化槽２に流入する。
又、好気可溶化槽２と好気ろ床槽３との仕切り壁９に移流口８より低い位置に移流口１０が設けられ、この移流口１０から好気可溶化槽２の処理水は好気ろ床槽３に下向流で流入する。
【００２８】
又、好気ろ床槽３と沈殿槽４との仕切り壁１１の下部に移流口１２が設けられ、この移流口１２から好気ろ床槽３の処理水は沈殿槽４に上向流で流入する。
又、沈殿槽４の壁面に好気可溶化槽２と好気ろ床槽３との仕切り壁９の移流口１０より低い位置に槽外に通じる放流口１３が設けられている。
【００２９】
１４は、好気可溶化槽２及び好気ろ床槽３の底部に設けた散気分配装置であり、装置外に設けたブロワー１５により供給管１６を経て空気又は純粋な酸素が各槽内に供給される。これにより、好気可溶化槽２内で曝気旋回流で生ゴミ等を摩耗させ可溶化する。
【００３０】
１７は好気ろ床槽３内に設置したろ床であり、ろ床１７に汚水中の有機不純物を好気分解する好気性微生物が担持された浮上性を有する担体が充填されている。
この担体は、ろ床１７の上部及び下部に担体の流出を阻止する大きさの網目を有する網状体が横設されていることにより、ろ床１７から流出することが防止されている。
これにより、好気ろ床槽３内で担体に担持された好気性微生物で脱臭と水質浄化を行う。
【００３１】
本発明越流堰は、上記装置本体Ａの沈殿槽４に設置されている。そして、堰本体２０は可撓性パイプ２１を介して沈殿槽４の放流口１３と連結している。
堰本体２０は方形の筒状の枠状体２２に形成され、この枠状体２２は一方の対向する側壁２３ａの上端縁から三角形に切り欠いた凹部からなる流入口２４が対向して形成され、この両方の流入口２４の下方で側壁２３ａ間に長方形のフラットな底板２５が掛け渡され、この底板２５の中央部に流出口２６が設けられている。
【００３２】
そして、堰本体２０の底板２５の両側部と枠状体２２の側壁２３ｂ間にフロートである繊維強化プラスチック等で形成した中空容器２７が固設されている。
この中空容器２７の上部に着脱可能なキャップ２８を有する水等の液体、又は砂等の粒体或いは固形物等の重錘体の出し入れ口２９が設けられ、内部に入れる重錘体を加減することにより、浮力調節を行う。
フロートである中空容器２７の浮力を調整することにより、堰本体２０の浮き具合が調整され、側壁の上端縁から三角形切り欠いた凹部で形成された流入口の一部が水面下に常に位置するようになっている。
これにより、堰本体２０の流入口２４から流入する水面の最上部の上澄水の一定の流入量を調節する。
【００３３】
又、流入口２４から越流した上澄水が流出する堰本体２０の流出口２６に、径違いの管継手３０を介して、可撓性材から成る可撓性パイプ２１の一端が連結している。
可撓性パイプ２１の他端は、沈殿槽４の壁面３１の放流口１３に設けた水面上に突出したオーバフロー管３２を有する排水管３３に、径違いの管継手３４を介して連結されている。
【００３４】
又、可撓性パイプ２１は両端の管継手３０、３４と共に外すことにより、異なる口径の可撓性パイプ２１と取り換えが可能となっている。
これにより、沈殿槽４から槽外へ放流される排水量を調整することができる。
【００３５】
又、オーバフロー管３２は、沈殿槽４内の水位が最高位の設計水位を越えると、処理水はオーバフロー管３２から排水管３３を経て槽外へ放流されるようになっている。
【００３６】
次に、このような構成を有する越流堰の作用を図面に基づき説明する。
先ず、中空容器２７内に液体を入れ、堰本体２０の流入口２４から沈殿槽４の水面より最上部の上澄水の流入量を堰本体２０の浮き具合を調節して決定する。
又、この流入量に見合った口径の可撓性パイプ２１が堰本体２０の流出口２６と沈殿槽４の放流口１３間に取り付けられている。
【００３７】
これにより、沈殿槽４の水位が上昇し、堰本体２０の流出口２６が沈殿槽４の放流口１３よりも高くなると、水面より最上部の上澄水が堰本体２０の流入口２４、流出口２６、可撓性パイプ２１、排水管３２を経て槽外へ放流される。
【００３８】
そして、厨芥含有排水の集水する朝、昼、夜の食事時等に一時に多量の汚水が汚水供給管５より処理装置本体Ａの無機分離槽１に流入すると、好気可溶化槽２、好気ろ床槽３、沈殿槽４の水位が急激に上昇し、沈殿槽４内で堰本体２０はフロートである中空容器２７により浮上し、堰本体２０の流入口２４と水面との距離は常に一定に保たれるので、流出口２６から可撓性パイプ２１を経て放流口１３から放流される上澄水の量が一定となる。
尚、装置内に一時に多量の汚水が流入された時は、沈殿槽４及び沈殿槽４より前の総ての槽の水位が上昇して、水位の調整槽としての機能を果たしている。
【００３９】
次に、図４乃至図７は本発明越流堰の他の実施の形態を示すものであり、図１乃至図３と相当する箇所にはそれと同一符号を付してある。
図４に示す越流堰は、堰本体２０がフラットな方形の底板２５の中央部に流出口２６が設けられ、この流出口２６を囲んで方形の枠状体２２が立設され、この枠状体２２の一方の対向する側壁２３ａの上端縁に三角形に切り欠かれた流入口２４が形成されている。
そして、底板２５の長手方向の両側に方形の孔２５ａが穿設され、この孔２５ａにフロートである中空容器２７が上方部を底板２５から突出させて固設されている。
【００４０】
次に、図５に示す越流堰は、堰本体２０がフラットな方形の底板２５の側端寄りに流出口２６が設けられると共に、底板２５の周囲に側壁２３が立設され、一方の対向する側壁２３ａの上端縁に波形の流入口２４が形成され、他方の対向する側壁２３ｂの上端縁に四角形に切り欠かれた流入口２４が二箇所ずつ形成された枠状体２２となっている。
【００４１】
そして、底板２５の中央部に方形の孔２５ａが穿設され、この孔２５ａの内周縁に方形の筒体３５が固設され、この筒体３５の内側の両側にフロートである中空容器２７が固設されている。
【００４２】
次に、図６に示す越流堰は、堰本体２０が沈殿槽４の壁面に取り付けられるもので、堰本体２０に設けたフロートである中空容器２７の底部に取り付け板３８が垂設され、この取り付け板３８に平行な二本の連結杆３９の一端が回動可能に枢着４０されると共に、連結杆３９の他端が沈殿槽４の壁面に固着されるＬ形の取り付けブラケット４１の一方の片に回動可能に枢着４２されている。
これにより、堰本体２０は浮力で連結杆３９の移動距離を昇降し、上限及び下限が規制される。
【００４３】
次に、図７に示す越流堰は、パイプを可撓性パイプ２１に変え、硬質合成樹脂等の硬質材から成る固定パイプ４３とスライドパイプ４４から形成されている。  固定パイプ４３は管継手４５で連結されて略Ｕ字形に形成され、この固定パイプ４３の一端は、放流口１３に設けた排水管３３に径違いの管継手４６を介して連結され、下方から垂直に上向きに配設された垂直部４３ａを有する他端にスライドパイプ４４の下端がスライド可能に挿通されている。
【００４９】
スライドパイプ４４の上端は、径違いの管継手４７を介して堰本体２０の流出口２６に連結している。
これにより、堰本体２０は固定パイプ４３の垂直部４３ａをガイドとして水平状態を維持して昇降する。
【００５０】
又、固定パイプ４３の垂直部４３ａの上部の外周に螺子部４３ｂが設けられ、この螺子部４３ｂにユニオン４８が螺合し、このユニオン４８の内側と固定パイプ４３の上端面間に固定パイプ４３の上端面の間隙から処理水の浸入を防ぐリング状の管径調節用アダプター４９が介在されている。
【００５１】
この管径調節用アダプター４９は、スライドパイプ４４を異なる口径のスライドパイプ４４と取り換えた時に、それと対応したリング径の管径調節用アダプター４９に取り換える。
スライドパイプ４４の取り換えは、管継手４７と共に外すことにより、異なる口径のスライドパイプ４４と取り換えが可能となっている。
これにより、沈殿槽４から槽外へ放流される排水量を調整することができる。
【００５２】
以上、本発明を実施形態に基づき具体的に説明したが、本発明は上記実施形態に限定されるものではなく、処理装置本体Ａの構成及び堰本体２０の枠状体２２や底板２５の形状、流入口２４の形状や数を変更できることは勿論である。又フロートの浮力調節も上記構成に限定されるものではない。
【００５３】
【発明の効果】
本発明に係る越流堰及び処理装置によれば、装置内に一度に多量の汚水が流入しても、槽外に放流される処理水の排水量が一定に保たれ、十分な時間を掛けて浄化でき、未浄化の汚水を放流することが防止される。
又、処理装置本体から外部へ放流される処理水は、装置の最終処理工程の槽又は沈殿槽の最上部の上澄水であるため、浮遊物質の流出がないので水質の悪化の恐れがなく、環境の保全に寄与し得るものである。
【図面の簡単な説明】
【図１】  本発明越流堰の使用状態を示す処理装置の断面図である。
【図２】  本発明越流堰の使用状態を示す部分拡大断面図である。
【図３】  本発明越流堰の一実施の形態を示す斜視図である。
【図４】  本発明越流堰の一実施の形態を示す斜視図である。
【図５】  本発明越流堰の一実施の形態を示す斜視図である。
【図６】  本発明越流堰の一実施の形態を示す斜視図である。
【図７】  本発明越流堰の他の使用状態を示す部分拡大断面図である。
【符号の説明】
１                無機分離槽
２                好気可溶化槽
３                好気ろ床槽
４                沈殿槽
１３              放流口
２０              堰本体
２１              可撓性パイプ
２２              枠状体
２３              側壁
２４              流入口
２５              底板
２６              流出口
２７              中空容器
２８              キャップ
２９              出し入れ口
３０、３４        管継手
３１              壁面
３２              オーバフロー管
３３              排水管
３５              筒体
３６              筒状体
３７、３８        取り付け板
３９              連結杆
４０、４２        枢着
４１              取り付けブラケット
４３              固定パイプ
４４              スライドパイプ
４５  ４６、４７  管継手
４８              ユニオン
【図１】
0004530628.tif 000002
【図２】
0004530628.tif 000003
【図３】
0004530628.tif 000004
【図４】
0004530628.tif 000005
【図５】
0004530628.tif 000006
【図６】
0004530628.tif 000007
【図７】
0004530628.tif 000008